(57)【特許請求の範囲】
【請求項１】
心拍数測定結果を生成するための装置であって：
リストバンド；
前記リストバンドに含まれる圧電フィルムであって、前記圧電フィルムの表面における圧力変動に応じて励起信号を生成する圧電フィルム；
前記圧電フィルムに結合され、前記励起信号に基づいて第１測定信号を生成するアナログ・フロント・エンド；
前記アナログ・フロント・エンドに結合され、前記第１測定信号に基づいて連続的な心拍数測定結果を生成する心拍数モニタ；
前記心拍数モニタに結合される光モジュール；
前記光モジュールに結合されるアクティビティ・レベル・モニタであって、身体活動条件が充足されることに応じて前記光モジュールをアクティベートし、前記身体活動条件が充足されないことに応じて前記光モジュールをデアクティベートし、前記光モジュールは前記光モジュールがアクティベートされる場合に第２測定信号を生成し、前記心拍数モニタは、前記第２測定信号が前記光モジュールから受信される場合に、前記第２測定信号に基づいて連続的な心拍数測定結果を生成する、アクティビティ・レベル・モニタ；
前記リストバンドに含まれるストレッチ・センサー；及び
前記ストレッチ・センサーによりモニタリングされるデータに基づいて前記リストバンドの締め方に関するメッセージを出力するユーザー・インターフェース；
を有する装置。
【請求項２】
前記アナログ・フロント・エンドは単一段の増幅器を含む、請求項１に記載の装置。
【請求項３】
前記アクティビティ・レベル・モニタは、前記第１測定信号に基づいて、前記身体活動条件が充足されるか否かを判定する、請求項１に記載の装置。
【請求項４】
前記アクティビティ・レベル・モニタは、加速度計信号に基づいて、前記身体活動条件が充足されるか否かを判定する、請求項１に記載の装置。
【請求項５】
ウェアラブル・システムであって：
圧電フィルム及びストレッチ・センサーを含み、前記圧電フィルムの表面における圧力変動に応じて励起信号を生成するリストバンド；
前記リストバンドに結合される電気ハウジング；
を有し、前記電気ハウジングは：
前記圧電フィルムに結合され、前記励起信号に基づいて第１測定信号を生成するアナログ・フロント・エンド；
前記アナログ・フロント・エンドに結合され、前記第１測定信号に基づいて心拍数測定結果を生成する心拍数モニタ；及び
前記心拍数モニタに結合され、前記心拍数測定結果を出力するユーザー・インターフェース；
を有し、前記ユーザー・インターフェースは、前記ストレッチ・センサーによりモニタリングされるデータに基づいて前記リストバンドの締め方に関するメッセージを出力する、ウェアラブル・システム。
【請求項６】
前記アナログ・フロント・エンドは単一段の増幅器を含む、請求項５に記載のウェアラブル・システム。
【請求項７】
前記心拍数モニタに結合される光モジュール；及び
前記光モジュールに結合されるアクティビティ・レベル・モニタであって、身体活動条件が充足されることに応じて前記光モジュールをアクティベートし、前記光モジュールは前記光モジュールがアクティベートされる場合に第２測定信号を生成し、前記心拍数モニタは、前記第２測定信号が前記光モジュールから受信される場合に、前記第２測定信号に基づいて心拍数測定結果を生成する、アクティビティ・レベル・モニタ；
を有する請求項５に記載のウェアラブル・システム。
【請求項８】
前記アクティビティ・レベル・モニタは、前記身体活動条件が充足されないことに応じて前記光モジュールをデアクティベートする、請求項７に記載のウェアラブル・システム。
【請求項９】
前記アクティビティ・レベル・モニタは、前記第１測定信号に基づいて、前記身体活動条件が充足されるか否かを判定する、請求項７に記載のウェアラブル・システム。
【請求項１０】
前記ウェアラブル・システムは加速度計信号を生成する加速度計を含み、前記アクティビティ・レベル・モニタは、前記加速度計信号に基づいて、前記身体活動条件が充足されるか否かを判定する、請求項７に記載のウェアラブル・システム。
【請求項１１】
前記心拍数測定結果は連続的である、請求項５ないし１０のうち何れか一項に記載のウェアラブル・システム。
【請求項１２】
心拍数測定結果を生成するための装置であって：
リストバンド；
前記リストバンドに含まれる圧電フィルムであって、前記圧電フィルムの表面における圧力変動に応じて励起信号を生成する圧電フィルム；
前記圧電フィルムに結合され、前記励起信号に基づいて第１測定信号を生成するアナログ・フロント・エンド；及び
前記アナログ・フロント・エンドに結合され、前記第１測定信号に基づいて心拍数測定結果を生成する心拍数モニタ；
前記リストバンドに含まれるストレッチ・センサー；及び
前記ストレッチ・センサーによりモニタリングされるデータに基づいて前記リストバンドの締め方に関するメッセージを出力するユーザー・インターフェース；
を有する装置。
【請求項１３】
前記アナログ・フロント・エンドは単一段の増幅器を含む、請求項１２に記載の装置。
【請求項１４】
前記心拍数モニタに結合される光モジュール；及び
前記光モジュールに結合されるアクティビティ・レベル・モニタであって、身体活動条件が充足されることに応じて前記光モジュールをアクティベートし、前記光モジュールは前記光モジュールがアクティベートされる場合に第２測定信号を生成し、前記心拍数モニタは、前記第２測定信号が前記光モジュールから受信される場合に、前記第２測定信号に基づいて心拍数測定結果を生成する、アクティビティ・レベル・モニタ；
を有する請求項１２に記載の装置。
【請求項１５】
前記アクティビティ・レベル・モニタは、前記身体活動条件が充足されないことに応じて前記光モジュールをデアクティベートする、請求項１４に記載の装置。
【請求項１６】
前記アクティビティ・レベル・モニタは、前記第１測定信号に基づいて、前記身体活動条件が充足されるか否かを判定する、請求項１４に記載の装置。
【請求項１７】
前記アクティビティ・レベル・モニタは、加速度計信号に基づいて、前記身体活動条件が充足されるか否かを判定する、請求項１４に記載の装置。
【請求項１８】
前記心拍数測定結果は連続的である、請求項１２ないし１７のうちの何れか一項に記載の装置。
【請求項１９】
心拍数測定結果を生成するための方法であって：
リストバンドに含まれる圧電フィルムの表面における圧力変動に応じて励起信号を生成するステップ；
前記励起信号に基づいて第１測定信号を生成するステップ；
前記第１測定信号に基づいて心拍数測定結果を生成するステップ；及び
前記リストバンドに含まれるストレッチ・センサーによりモニタリングされるデータに基づいて前記リストバンドの締め方に関するメッセージを出力するステップ；
を有する方法。
【請求項２０】
単一段の増幅器を利用して前記第１測定信号を生成するステップを含む請求項１９に記載の方法。
【請求項２１】
身体活動条件が充足されることに応じて光モジュールをアクティベートするステップであって、前記光モジュールは前記光モジュールがアクティベートされる場合に第２測定信号を生成し、前記心拍数測定結果は、前記第２測定信号が前記光モジュールから受信される場合に、前記第２測定信号に基づいて生成される、ステップを有する請求項１９に記載の方法。
【請求項２２】
前記身体活動条件が充足されないことに応じて前記光モジュールをデアクティベートするステップを含む請求項２１に記載の方法。
【請求項２３】
前記第１測定信号に基づいて、前記身体活動条件が充足されるか否かを判定するステップを含む請求項２１に記載の方法。
【請求項２４】
加速度計信号に基づいて、前記身体活動条件が充足されるか否かを判定するステップを含む請求項２１に記載の方法。
【請求項２５】
前記心拍数測定結果は連続的である、請求項１９ないし２４のうちの何れか一項に記載の方法。
【発明の詳細な説明】
【関連出願】
【０００１】
本願は2014年11月14日付けで出願された米国(非仮)特許出願第14/541,275号に対する優先的利益を享受する。
【技術分野】
【０００２】
実施形態は一般に心拍数のセンシングに関連する。特に、実施形態はウェアラブル・デバイスにおける超低電力連続心拍数センシングに関連する。
【背景技術】
【０００３】
ウェアラブル心拍数センサーは、典型的には、光電式容積静脈波記録法(photoplethysmography：PPG)技術を利用し、この技術では1つ又は複数の発光ダイオード(LEDs)が装着者の皮膚を照明し、皮膚から反射される光の変化が、脈動する血流に応じて測定される。そのようなアプローチは或る種の環境では相応しいかもしれないが、かなりの改良の余地を残す。例えば、LEDsの駆動は比較的多くの電力消費を伴い、そのような電力消費は、特に、ウェアラブル・センサーにおいてバッテリー寿命にネガティブな影響をもたらす。更に、脈動する血流を測定する際の反射光の精度は、皮膚の色だけでなく、筋肉組織の灌流(perfusion)にも依存するかもしれない。
【図面の簡単な説明】
【０００４】
実施形態の様々な利点は、本明細書及び添付の特許請求の範囲を参照し且つ添付図面を参照することにより、当業者にとって明らかになるであろう。
【図１Ａ】実施形態による例示的なウェアラブル・システムの側断面図。
【図１Ｂ】実施形態による例示的なウェアラブル・システムの端面図。
【図２】実施形態による例示的なアナログ・フロント・エンドの概略図。
【図３】実施形態による例示的な測定信号のプロットを示す図。
【図４】実施形態による連続的な心拍数測定方法の一例をフローチャートで示す図。
【発明を実施するための形態】
【０００５】
図1A及び図1Bを眺めると、ウェアラブル・システム10が示されている。図示される例では、ウェアラブル・システム10は、心拍数測定を行うために、人の手首に装着されている。代替的に、ウェアラブル・システム10は、例えば、頭部、首、及びその他の脈動する血流が皮膚において検出される身体の他の部分(例えば、皮下組織における動脈付近の場所)等のような他の身体部分に装着されるように構成されてもよい。一般に、ウェアラブル・システム10のリストバンド12は、ウェアラブル・システム10の内側領域にさらされる1つ以上の表面を有する圧電フィルム14(又は微小圧電素子のアレイ)を含み、それにより、圧電フィルム14の表面は、直接的に又は絶縁フィルムの他の層を介して(すなわち間接的に)、手首の皮膚に接触する。「圧電フィルム」及び「微小圧電素子のアレイ」という用語は、本願では可換に使用されてよい。圧電フィルム14は、装着者の皮膚16の直下の脈動する血流の結果として、圧電フィルム14の表面における圧力変化に応じて励起信号(an  excitation  signal)を生成する。以下において詳細に説明されるように、圧電フィルム14は、電力消費、バッテリー寿命、皮膚の色、筋肉組織灌流などに関する懸念を未然に取り除く。
【０００６】
電気ハウジング18はリストバンド12に結合され、図示の電気ハウジング18は、圧電フィルム14に結合されるアナログ・フロント・エンド20を含む。アナログ・フロント・エンド20は、圧電フィルム14からの励起信号に基づいて、第1測定信号を生成する。図示の電気ハウジング18は、アナログ・フロント・エンド20に結合される心拍数モニタ22も含み、心拍数モニタ22は第1測定信号に基づいて心拍数測定値(又は心拍数測定結果又は心拍数測定尺度)を生成する。更に、心拍数モニタ22に結合されるユーザー・インターフェース24(例えば、ディスプレイ、スピーカー)は、外部観察のために心拍数測定結果を出力する。
【０００７】
特に注目すべきは、図示の圧電フィルム14は、例えばバッテリーのような如何なる外部電源も必要とすることなく、励起信号を生成することである。その結果、ウェアラブル・システム10は相対的に低電力消費の性質を有する。実際、ウェアラブル・システム10の低電力動作は、バッテリー寿命に対する懸念を伴うことなく、連続的な心拍数測定結果を生成できるようにする。更に、図示の圧電フィルム14は光学的な測定を当てにしないので、ウェアラブル・システム10によりなされる心拍数測定結果は、皮膚の色又は筋肉組織灌流に依存しない。
【０００８】
図2は、測定信号を生成するアナログ・フロント・エンド26の可能な一形態を示す。アナログ・フロント・エンド26は、上述したアナログ・フロント・エンド20(図1A)に代用されてもよい。図示の例では、圧電フィルム14(図1)に代用されてもよい圧電フィルム14が励起信号を生成し、励起信号は、脈動する血流の結果としての圧電フィルム14の表面に適用される圧力変化の関数である。動作電圧(Vop)及び基準電圧(Vref)を有する信号増幅器30(例えば、演算増幅器)は、アナログ測定信号を生成し、そのアナログ測定信号は、励起信号と基準電圧との間の電位差に比例している。図示の増幅器30の相対的に低電力の条件に加えて、パーツ数の低減及び印刷回路基板(PCB)利用スペースの低減が、図示のアプローチにより達成される。図示の増幅器30はシングル・ステージ増幅器であるが、アナログ・フロント・エンド26は代替的にマルチ・ステージ増幅器も含んでよい。図3はアナログ・フロント・エンド26により生成される測定信号31の一例を示す。
【０００９】
図1A及び1Bを参照すると、ハイブリッドの圧電式/光学式のソリューションが、優れた精度を達成するために使用される。この場合において、システム10の装着者が激しいレベルの運動に関わっている場合(例えば、激しいエクササイズとデスクワーク/穏やかな運動との間のような相違がある場合)、圧電フィルム14は運動のアーチファクトの影響を受けるかもしれない。そこで、図示のウェアラブル・システム10は、アクティビティ・レベル・モニタ34を介して心拍数モニタ22に結合される光モジュール32(例えば、光電式容積静脈波記録法/PPGモジュール)も含む。アクティビティ・レベル・モニタ34は、身体活動条件に合致したことに応じて(例えば、アクティビティ閾値を超えたことに応じて)、光モジュール32を活性化してもよい。
【００１０】
アクティビティ・レベル・モニタ34は、アナログ・フロント・エンド20及び圧電フィルム14からの第1測定信号に基づいて、身体活動条件が充足されるか否かを判定してもよい。すなわち、第1測定信号が、脈動する血流から予想されるものより大きな電圧レベルを示し及び/又はそのように振れる場合に、アクティビティ・レベル・モニタ34は、身体活動条件が充足されていると判断してもよい。アクティビティ・レベル・モニタ34は、他の信号に基づいて、身体活動条件が充足されるか否かを判定してもよく、例えば、ウェアラブル・システム10に組み込まれる加速度計36からの加速度計信号に基づいてそれが為されてもよい。
【００１１】
従って、光モジュール32は、光モジュール32がアクティベートされる場合に、第2測定信号を生成してもよく、その場合、図示の心拍数モニタ22は、アクティビティ・レベル・モニタ34を介して光モジュール32から第2測定信号が受信される場合に、その第2測定信号に基づいて心拍数測定結果を生成する。他方、身体活動条件が充足されない場合、図示のアクティビティ・レベル・モニタ34は光モジュール32をデアクティベートし、上述したように、アナログ・フロント・エンド26からの第1測定信号に基づいて、心拍数測定結果が生成される。従って、圧電フィルム14は、(例えば、多くの人々にとって時間の大半を占める)活動が穏やかな非活動的な期間(periods  of  sedentary)の間に、心拍数測定結果を生成するために使用されてもよい。
【００１２】
リストバンド12は、皮下組織の動脈の場所に対する圧電フィルム14の適切な配置を保証するだけでなく、圧電フィルム14と皮膚16との間での最適な圧力をも保証し、測定値を得るように構成される。例えば、圧電フィルム14は、リストバンドの内側直径による実質的な外周の周りに延び、動脈付近で接触する可能性を増やす。更に、リストバンド12は、例えば、導電性のエラストマー及び/又は導電性の布から形成されるストレッチ・センサー13を含んでもよく、そのセンサーは、リストバンド12の伸び及び引っ張り並びに配置のモニタリングを可能にする。モニタリングされたデータは、配置し直すメッセージ、引き締めるメッセージ及び/又は緩めるメッセージを、例えばユーザー・インターフェース24を介してシステム10の装着者に届けるために使用されてもよい。心拍数測定結果を最適化するための他の技術が使用されてもよい。
【００１３】
図4を参照すると、心拍数測定結果を生成する方法38が示されている。方法38は、マシン又はコンピューター読み込み可能な記憶媒体に保存される一群の論理命令における1つ以上のモジュールとして、設定可能な論理部において、回路技術を利用する固定機能のハードウェア論理部において実現されてもよく、記憶媒体は例えばランダム・アクセス・メモリ(RAM)、リード・オンリー・メモリ(ROM)、プログラム可能なROM(PROM)、ファームウェア、フラッシュメモリ等であり、論理部は例えばプログラマブル論理アレイ(PLAs)、フィールド・プログラマブル・ゲート・アレイ(GPGAs)、コンプレックス・プログラマブル論理デバイス(CPLDs)等であり、回路技術は例えば特定用途向け集積回路(ASIC)、相補型金属酸化物半導体(CMOS)又はトランジスタ・トランジスタ論理(TTL)技術或いはそれらの任意の組み合わせであってもよい。
【００１４】
図示の処理ブロック40はデアクティベートされた状態(例えば、offに維持された状態)に光モジュールを設定し、ブロック42において身体活動の程度(又はレベル)が推定される。推定は、ウェアラブル・システムの圧電フィルム及び/又は加速度計からの信号を利用してもよい。図示のブロック44は、身体活動の程度が特定の閾値を超えているか否かを判断する(すなわち、身体活動条件が充足されるか否かを判断する)。判断が否定的であった場合、ブロック46において、光モジュールはデアクティベート状態に維持され、圧電フィルムからの励起信号が、心拍数測定結果を生成するために使用される。従って、ブロック46は、上述したように、圧電フィルムの表面における圧力変動に応答して励起信号を生成し、励起信号に基づいて測定信号を生成するために圧電フィルムを利用することを含む。身体活動条件が充足された場合に限り、ブロック48は、光モジュールをアクティベートし、光モジュールから測定信号を取得する。図示のブロック50は、圧電フィルムからの測定信号、或いは、光モジュールからの測定信号の何れかに基づいて、心拍数測定結果を算出及び表示する。何れにせよ、心拍数測定結果は連続的であってよい。
【００１５】
以下、追加的な事項及び具体例を示す：
具体例1は心拍数測定結果を生成するための装置を含み、本装置は、圧電フィルムの表面における圧力変動に応じて励起信号を生成する圧電フィルム；前記圧電フィルムに結合され、前記励起信号に基づいて第1測定信号を生成するアナログ・フロント・エンド；前記アナログ・フロント・エンドに結合され、前記第1測定信号に基づいて連続的な心拍数測定結果を生成する心拍数モニタ；前記心拍数モニタに結合される光モジュール；及び前記光モジュールに結合されるアクティビティ・レベル・モニタであって、身体活動条件が充足されることに応じて前記光モジュールをアクティベートし、前記身体活動条件が充足されないことに応じて前記光モジュールをデアクティベートし、前記光モジュールは前記光モジュールがアクティベートされる場合に第2測定信号を生成し、前記心拍数モニタは、前記第2測定信号が前記光モジュールから受信される場合に、前記第2測定信号に基づいて連続的な心拍数測定結果を生成する、アクティビティ・レベル・モニタ；を有する装置である。
【００１６】
具体例2は具体例1の装置を含み、前記アナログ・フロント・エンドは単一段の増幅器を含む。
【００１７】
具体例3は具体例1の装置を含み、前記アクティビティ・レベル・モニタは、前記第1測定信号に基づいて、前記身体活動条件が充足されるか否かを判定する。
【００１８】
具体例4は具体例1の装置を含み、前記アクティビティ・レベル・モニタは、加速度計信号に基づいて、前記身体活動条件が充足されるか否かを判定する。
【００１９】
具体例5はウェアラブル・システムを含み、ウェアラブル・システムは、圧電フィルムを含み、前記圧電フィルムの表面における圧力変動に応じて励起信号を生成するリストバンド；前記リストバンドに結合される電気ハウジング；を有し、前記電気ハウジングは：前記圧電フィルムに結合され、前記励起信号に基づいて第1測定信号を生成するアナログ・フロント・エンド；前記アナログ・フロント・エンドに結合され、前記第1測定信号に基づいて心拍数測定結果を生成する心拍数モニタ；及び前記心拍数モニタに結合され、前記心拍数測定結果を出力するユーザー・インターフェース；を有するウェアラブル・システムである。
【００２０】
具体例6は具体例5のウェアラブル・システムを含み、前記アナログ・フロント・エンドは単一段の増幅器を含む。
【００２１】
具体例7は具体例5のウェアラブル・システムを含み、ウェアラブル・システムは、前記心拍数モニタに結合される光モジュール；及び前記光モジュールに結合されるアクティビティ・レベル・モニタであって、身体活動条件が充足されることに応じて前記光モジュールをアクティベートし、前記光モジュールは前記光モジュールがアクティベートされる場合に第2測定信号を生成し、前記心拍数モニタは、前記第2測定信号が前記光モジュールから受信される場合に、前記第2測定信号に基づいて心拍数測定結果を生成する、アクティビティ・レベル・モニタ；を有する。
【００２２】
具体例8は具体例7のウェアラブル・システムを含み、前記アクティビティ・レベル・モニタは、前記身体活動条件が充足されないことに応じて前記光モジュールをデアクティベートする。
【００２３】
具体例9は具体例7のウェアラブル・システムを含み、前記アクティビティ・レベル・モニタは、前記第1測定信号に基づいて、前記身体活動条件が充足されるか否かを判定する。
【００２４】
具体例10は具体例7のウェアラブル・システムを含み、前記ウェアラブル・システムは加速度計信号を生成する加速度計を含み、前記アクティビティ・レベル・モニタは、前記加速度計信号に基づいて、前記身体活動条件が充足されるか否かを判定する。
【００２５】
具体例11は具体例5ないし10のうちの何れかによるウェアラブル・システムを含み、前記心拍数測定結果は連続的である。
【００２６】
具体例12は、心拍数測定結果を生成するための装置を含み、本装置は：圧電フィルムの表面における圧力変動に応じて励起信号を生成する圧電フィルム；前記圧電フィルムに結合され、前記励起信号に基づいて第1測定信号を生成するアナログ・フロント・エンド；及び前記アナログ・フロント・エンドに結合され、前記第1測定信号に基づいて心拍数測定結果を生成する心拍数モニタ；を有する装置である。
【００２７】
具体例13は具体例12の装置を含み、前記アナログ・フロント・エンドは単一段の増幅器を含む。
【００２８】
具体例14は具体例12の装置を含み、前記心拍数モニタに結合される光モジュール；及び前記光モジュールに結合されるアクティビティ・レベル・モニタであって、身体活動条件が充足されることに応じて前記光モジュールをアクティベートし、前記光モジュールは前記光モジュールがアクティベートされる場合に第2測定信号を生成し、前記心拍数モニタは、前記第2測定信号が前記光モジュールから受信される場合に、前記第2測定信号に基づいて心拍数測定結果を生成する、アクティビティ・レベル・モニタ；を有する。
【００２９】
具体例15は具体例14の装置を含み、前記アクティビティ・レベル・モニタは、前記身体活動条件が充足されないことに応じて前記光モジュールをデアクティベートする。
【００３０】
具体例16は具体例14の装置を含み、前記アクティビティ・レベル・モニタは、前記第1測定信号に基づいて、前記身体活動条件が充足されるか否かを判定する。
【００３１】
具体例17は具体例14の装置を含み、前記アクティビティ・レベル・モニタは、加速度計信号に基づいて、前記身体活動条件が充足されるか否かを判定する。
【００３２】
具体例18は具体例12ないし17のうちの何れかによる装置を含み、前記心拍数測定結果は連続的である。
【００３３】
具体例19は、心拍数測定結果を生成するための方法を含み、本方法は：圧電フィルムの表面における圧力変動に応じて励起信号を生成するステップ；前記励起信号に基づいて第1測定信号を生成するステップ；及び前記第1測定信号に基づいて心拍数測定結果を生成するステップ；を有する方法である。
【００３４】
具体例20は具体例19の方法を含み、単一段の増幅器を利用して前記第1測定信号を生成するステップを含む。
【００３５】
具体例21は具体例19の方法を含み、身体活動条件が充足されることに応じて光モジュールをアクティベートするステップであって、前記光モジュールは前記光モジュールがアクティベートされる場合に第2測定信号を生成し、前記心拍数測定結果は、前記第2測定信号が前記光モジュールから受信される場合に、前記第2測定信号に基づいて生成される、ステップを有する。
【００３６】
具体例22は具体例21の方法を含み、前記身体活動条件が充足されないことに応じて前記光モジュールをデアクティベートするステップを含む。
【００３７】
具体例23は具体例21の方法を含み、前記第1測定信号に基づいて、前記身体活動条件が充足されるか否かを判定するステップを含む。
【００３８】
具体例24は具体例21の方法を含み、加速度計信号に基づいて、前記身体活動条件が充足されるか否かを判定するステップを含む。
【００３９】
具体例25は具体例19ないし24のうちの何れかによる方法を含み、前記心拍数測定結果は連続的である。
【００４０】
具体例26は、心拍数測定結果を生成するための装置を含み、本装置は、具体例19ないし25のうち何れかの具体例による方法を、それらの任意のコンビネーション又はサブコンビネーションで実行する手段を有するものである。
【００４１】
このように、本技術は、電力消費、バッテリー寿命、肌の色、筋肉組織灌流などに関する懸念によらず、連続的な心拍数測定が実行されることを可能にする。更に、部品数の低減及びPCBスペースの節約も達成される。
【００４２】
実施形態は全てのタイプの半導体集積回路(IC)チップとともに使用することに適用可能である。これらのICチップの具体例は、以下のものに限定されないが、例えば、プロセッサ、コントローラ、チップセット・コンポーネント、プログラマブル論理アレイ(PLAs)、メモリ・チップ、ネットワーク・チップ、システム・オン・チップ(SoCs)、SSD/NANDコントローラASICs等を含む。更に、図面の或る部分では信号導体ラインが線で表現されている。別の部分ではそれとは異なり、より多い構成要素の信号経路を示すために番号ラベルを含み、構成要素の信号経路の数を示してもよいし、及び/又は、1つ以上の端部で矢印を有し、主要な情報の流れる方向を示してもよい。しかしながらそれは限定する方向で解釈されるべきではない。むしろ、そのような追加的な詳細は、回路の簡易な理解を促すために、1つ以上の実施例に関連して使用される。表現される何れの信号ラインも、追加的な情報の有無によらず、複数の方向に進行する1つ以上の信号を実際に含んでいてもよく、また、適切な任意のタイプの信号形式で実現されてもよく、例えば、差動ペアで実現されるディジタル又はアナログ・ライン、光ファイバ・ライン、及び/又は、シングル・エンド・ラインで実現されてもよい。
【００４３】
具体的なサイズ/モデル/値/範囲が与えられているが、実施形態はそれらに限定されない。製造技術(例えば、フォトリソグラフィ)は時代とともに進歩するので、より小さなサイズのデバイスが製造可能になることが予想される。更に、ICチップ及び他のコンポーネントに対する周知の電力/接地接続は、図示及び説明の簡明化のために図面には示されておらず、実施形態の所定の側面を曖昧にしないようにしている。更に、実施形態を曖昧にしないようにブロック図による配置が示されており、そのようなブロック図の実現に関連する詳細は、実施形態が実現されるプラットフォームに極めて依存するという観点から、そのような詳細は当業者の知見の範囲内に十分に含まれるはずである。(例えば、回路のような)具体的な詳細が実施例を説明するために記述される場合、そのような具体的な詳細によらず又はそのような具体的な詳細の変形ともに、実施形態の実現が可能であることは、当業者にとって明らかであろう。従って本説明は限定ではない例示として解釈されるべきである。
【００４４】
「結合される(coupled)」という用語は、本願では、対象のコンポーネント間で直接的又は間接的な任意のタイプの関係を指すように使用されてよく、電気、機械、流体、光、電磁波、電気機械又はその他のコネクションに適用してよい。更に、「第1」、「第2」等の用語は、本願では説明を促すだけのために使用されており、別段の指示がない限り、特定の時間的又は経時的な意味を担っていない。
【００４５】
本明細書及び特許請求の範囲で使用されるように、「1つ又は複数の」又は「1つ以上の」という言い回しに結ばれる用語のリストは、列挙された用語の任意の組み合わせを意味してよい。例えば、「A、B又はCのうちの1つ以上」という言い回しは、A,B,C；A及びB；A及びC；B及びC；又は、A,B及びCを意味してもよい。
【００４６】
当業者は、実施形態の広範囲に及ぶ技術が様々な形式で実現可能であることを、上記の説明から認めるであろう。従って、実施形態は特定の具体例に関連して説明されているが、実施形態の真の範囲はそれに限定されず、なぜなら、明細書、特許請求の範囲及び図面を学んだ当業者にとっては他の変形例も明らかになるからである。
【図１Ａ】
0006707536.tif 000002
【図１Ｂ】
0006707536.tif 000003
【図２】
0006707536.tif 000004
【図３】
0006707536.tif 000005
【図４】
0006707536.tif 000006